(57)【特許請求の範囲】
【請求項１】
手摺りを支持する受け部と、構造体に対して固定する座板部と、前記受け部と前記座板部とを連結する連結部と、を有する固定具本体、及び前記座板部の前面を被覆するカバーを有する手摺り固定具において、前記カバーは、前記固定具本体に対し、前記カバー自体が有する窄まり力によって挟持し、装着される一方、前記座板部は、ねじ挿通孔が穿設されるとともに前記カバーによって被覆される取付板と、前記取付板より肉厚で形成され前記カバーが挟持するくびれ部を有する台状部とを有することを特徴とする手摺り固定具。
【請求項２】
前記カバーを前記固定具本体に装着した際、前記カバーの外観表面と前記台状部の外観表面とが面一状態になることを特徴とする請求項１記載の手摺り固定具。
【発明の詳細な説明】
【０００１】
【発明の属する技術分野】
本発明は、手摺りを構造体としての家屋の壁面などに固定する手摺り固定具に関するものである。
【０００２】
【従来の技術】
従来の手摺り固定具として図６に示すような手摺り固定具１００が知られている。この手摺り固定具１００はアーム１０１の一端に手摺り取り付け座１０２を設けると共にアーム１０１の他端に壁面取り付け座１０３を設けたものである。そして、壁面取り付け座１０３には取り付けビス１０６を挿通するための取り付け穴１０４が複数個穿孔され、壁面取り付け座１０３の前面側にこの前面を覆うようにカバー１０８を被嵌する。壁面取り付け座１０３の前面にこの前面の外周より内方側の位置で前面より前方に盛り上げたカバー取り付け部１０９を設けると共にカバー取り付け部１０９にてカバー１０８を着脱自在に取り付ける。これにより、この手摺り固定具１００は壁面取り付け座１０３を取り付ける取り付けビス１０６が外観上見えないようにできるため、外観よく壁面に取り付けることができるものである。
【０００３】
【発明が解決しようとする課題】
一般にカバーと称されるものはその性質上、メンテナンスなどの場合を想定し、被取り付け部材から取り外し可能に設計されている。しかし一方であまりに簡単に取り外しできる場合は、カバーのはずれ、カバーの紛失の問題が生じる。逆にカバーのはずれを考慮するあまり、カバーと被取り付け部材との係合を強固にするとカバー取り付け時の作業性を損なうという問題が生じる。そのためカバーと被取り付け部材との間では最適な取り付け状態が要求され、その設計には設計者の経験と設計時間とが多く要求される。そして上述した手摺り固定具１００のカバー１０８においても同様に、カバー１０８とカバー取り付け部１０９との間では、カバー１０８の被係止縁をカバー取り付け部１０９の係止縁１０９ａに係止させることでカバー１０８をカバー取り付け部１０９に装着させている。しかしながら、このカバー取り付け部１０９の係止縁１０９ａは上述したカバーの問題点を考慮したあまり、取り付け座１０３の前面には多種の形状を有する係止縁１０９ａが多数設けられている。そのため、金型製造コストがかさむほか、製品の寸法管理にも時間が費やされるため、結果、製品コストが高くなるという問題を有している。本発明は、このような点に鑑みなされたもので、上述したカバーに関する問題点を解消した上、安価な手摺り固定具を提供することを目的とする。
【０００４】
【課題を解決するための手段】
請求項１の手摺り固定具は、手摺りを支持する受け部と、構造体としての壁面などに対して固定する座板部と、前記受け部と前記座板部とを連結する連結部と、を有する固定具本体、及び前記座板部の前面を被覆するカバーを有する手摺り固定具であって、前記カバーは、前記固定具本体に対し、前記カバー自体が有する窄まり力によって挟持し、装着される一方、前記座板部は、ねじ挿通孔が穿設されるとともに前記カバーによって被覆される取付板と、前記取付板より肉厚で形成され前記カバーが挟持するくびれ部を有する台状部とを有することを特徴とするものである。そしてこれによってカバー自体に固定具本体に対するカバーの脱落を抑止させる働きを有するので、設計する際、経験と設計時間とが多く要求される係止縁などを設ける必要がなく、結果、安価な手摺り固定具を提供することができることに加え、カバー自体の固定具本体に対するカバーの脱落の抑止の働きをより向上させることができる。請求項２の手摺り固定具は、請求項１記載の手摺り固定具において、前記カバーを装着した際、前記カバーの外観表面と前記台状部の外観表面とが面一状態になることを特徴とするものである。これによってカバーと台状部との一体感をもたらし、手摺り固定具全体の見栄えを向上させることができる。
【０００５】
【発明の実施の形態】
以下、本発明の手摺り固定具について、第１の実施の形態の構成を図１乃至図４を参照して説明する。図１乃至図４において１は手摺り固定具であって、この手摺り固定具１は手摺り２を構造体（例えば、家屋などの廊下や階段など）としての壁面３に対して位置決め固定するためのものである。そして、この手摺り固定具１は固定具本体４と、カバー５とを有している。
【０００６】
固定具本体４は手摺り２を支持する受け部１１と、構造体としての壁面３に対して固定される座板部１５と、受け部１１と座板部１５とを連結する連結部２５とを有しており、亜鉛ダイカスト等で一体に成形されている。
【０００７】
受け部１１は中実円柱状の手摺り２を支持し、この手摺り２と略同径の円弧面を有する受け面１２が形成されている。この受け面１２には受け部１１の長手方向に離間した２箇所にねじ孔１３が穿設されており、受け面１２の裏面から図示しない固定ねじを用い、ねじ孔１３に挿通させ手摺り２にねじ込むことで、受け部１１と手摺り２とを固定させる。
【０００８】
座板部１５は略円盤状に形成されており、この円盤状の一方面は構造体としての壁面３と当接する当接面３０であり、その当接面３０の反対面である他方面はねじ挿通孔１８が穿設された取付板１７と、この取付板１７より肉厚に形成された台状部１６とを有している。この取付板１７は、略Ｃ字状に形成された平板であって、またこの取付板１７は他方面から一方面に向けてねじ挿通穴１８が角度１２０度の間隔をあけて計３箇所穿設されている。そして他方面から固着ねじ３７を用い、ねじ挿通穴１８に挿通させ壁面３にねじ込むことで、座板部１５と壁面３とを固定させる。また台状部１６は円形部とこの円形部の上部に略角度９０度開いた扇部とが組み合わされた形状をしており、円形部の側面６０と扇部の側面６１との境界部分で、くびれ部３１が形成されている。このくびれ部３１は後述するカバー５を固定具本体４に装着した際、カバー５の突起３５に挟持される部分となる。また取付板１７と台状部１６との両者の厚み高低差は固着ねじ３７の頭部３８を収容するためのものである。また取付板１７の一方面である当接面３０の周縁には、後述するカバー５の係合突起２０と係合する係合溝部１９が設けられている。
【０００９】
連結部２５は座板部１５の台状部１６の中心から垂直に突出した後、直角に折れ曲がるＬ字形状であり、受け部１１の受け面１２の裏面と連結している。この連結部２５は構造体としての壁面３と手摺り２との寸法距離を一定間隔に保持する働きをしている。
【００１０】
次にカバー５は合成樹脂で形成されており、前記固定具本体４の座板部１５に装着可能である。このカバー５は取付板１７と同形状であり、座板部１５に装着させることで座板部１５の取付板１７を被覆することができる。さらに詳しくは、このカバー５は台状部１６の円形状を逃げる凹部３６を有すると共に、前記台状部１６のくびれ部３１に係合するように凹部３６の先端がそれぞれ対向する形状で突出する突出部３５を有している。またこのカバー５の凹部３６の内周面６２と凹部３６から円周方向に略角度９０度に拡開した開口部の内面６３は、カバー５を固定具本体４に装着した際、台状部１６の円形部の側面６０と扇部の側面６１とにそれぞれ当接される。そしてカバー５を上記のような形状にすることでカバー５自体に弾性を有し、カバー５の凹部３６を開くような外力が作用した場合であってもそれを戻そうとする窄まり力が生じる。そしてカバー５を固定具本体４に装着した際、このカバー５自体の窄まり力は座板部１５の台状部１６のくびれ部３１を抱え込むように挟持し、カバー５のはずれを抑止させる働きを有する。またカバー５の厚みはこのカバー５を座板部１５に装着した状態で、カバー５の外観表面と台状部１６の外観表面とが図３に示すように面一状態になるような厚み寸法を有している。これによってカバー５と台状部１６との一体感をもたらし、手摺り固定具全体の見栄えを向上させている。またこのカバー５の表面にはカバー５を座板部１５に装着した際に現れるカバー５と台状部１６との境のラインを円盤状の座板部１５の中心に対して点対称な位置に施こしてあり、カバー５と座板部１５との一体感をもたらしている。また図２に示すようにカバー５にはカバー５を座板部１５に装着した状態で固着ねじ３７の頭部３８が収容できる空間部２１が設けられている。さらにカバー５の周縁の内側面には座板部１５の係合溝部１９と係合する係合突起２０が角度４５度の間隔で計６箇所設けられている。
【００１１】
次に、上記第１の実施の形態の取り付け方法について説明する。
まず、手摺り２を配置する構造体としての壁面３に対して固定具本体４の座板部１５の当接面３０を当接させ、座板部１５の取付板１７のねじ挿通孔１８に固着ねじ３７を挿通させ壁面３にねじ込むことで、座板部１５と壁面３とを固定させる。この際、図４に示すように固着ねじ３７の頭部３８は取付板１７の表面に露出する状態にある。
【００１２】
次に手摺り２を固定具本体４の受け部１１の受け面１２に支持し、受け面１２の裏面から図示しない固定ねじを用い、ねじ孔１３に挿通させ手摺り２にねじ込むことで、受け部１１と手摺り２とを固定させる。
【００１３】
最後にカバー５を座板部１５の前面から近づけるか、あるいは、カバー５の窄まり力に抗してカバー５の凹部３６を開くようにして座板板１５に近づけ、カバー５の凹部３６の先端の突出部３５を台状部１６のくびれ部３１に挟持させ、さらには係合突起２０と取付板１７の係合溝部１９とを係合させることによってカバー５を座板部１５に装着し、カバー５によって取付板１７が被覆される。これによって取付板１７の表面に露出していた固着ねじ３７の頭部３８を被覆することができ、手摺り固定具１全体の見栄えを向上させることができる。
【００１４】
次に本発明の手摺り固定具について、第２の実施の形態の構成を図５を参照して説明する。但し、図１乃至図４の同一の部材には同一番号を付し、その説明は割愛する。第２の実施の形態の座板部４５は、取付板４７と台状部４６を有している。この取付板４７は略Ｃ字状に形成された平板である。また台状部４６は略直方体のみの形状で形成されている。そして連結部５５が、座板部４５の取付板４７から突出しており、連結部５５の付け根部分の周面７０と台状部４６の側面７１との境界部分で、くびれ部４１が形成されている。そしてカバー５０は凹部３６から円周方向に向かって略平行に開口する開口部を有し、凹部３６の内周面７２と開口部の内面７３は、カバー５０を固定具本体４０に装着した際、連結部５５の付け根部分の周面７０と台状部１６の側面７１とにそれぞれ当接される。上述したような形態を採ることにより、カバー５０を固定具本体４０に装着した際、カバー５０と連結部５５とが当接され、カバー５０と台状部４６との境のラインを少なくなり、第１の実施の形態に比べて、よりカバー５０と台状部４６との一体感をもたらし、手摺り固定具全体の見栄えを向上させることができる。
【００１５】
なお上記２つの実施の形態において、手摺り固定具１は手摺り２を構造体としての壁面３のみに対して位置決め固定させるものについて説明したが、これに限らず、例えば、構造体としての水平面に対して位置決め固定させても良い。
【００１６】
また上記２つの実施の形態において固定具本体４，４０の受け部１１と座板部１５，４５とを連結する連結部２５，５５はＬ字形状のみについて説明したが、これに限らず、例えば、曲線状のものや直線のみのものであっても良い。
【発明の効果】
請求項１記載の発明によれば、カバー自体が固定具本体に対してカバーの脱落を抑止させる働きを有するので、設計する際、経験と設計時間とが多く要求される係止縁などを設ける必要がなく、結果、安価な手摺り固定具を提供することができることに加え、カバー自体の固定具本体に対するカバーの脱落の抑止の働きをより向上させることができる。請求項２記載の発明によれば、カバーと台状部との一体感をもたらし、手摺り固定具全体の見栄えを向上させることができる。
【図面の簡単な説明】
【図１】本発明の手摺り固定具の第１の実施の形態を示す分解斜視図である。
【図２】同上の手摺り固定具の第１の実施の形態を示す別角度からの分解斜視図である。
【図３】同上の手摺り固定具の第１の実施の形態を示す全体斜視図である。
【図４】同上の手摺り固定具の第１の実施の形態を示す部分断面図である。
【図５】本発明の手摺り固定具の第２の実施の形態を示す分解斜視図である。
【図６】従来の手摺り固定具の斜視図である。
【符号の説明】
１            手摺り固定具
２            手摺り
３            構造体としての壁面
４，４０      固定具本体
５，５０      カバー
１１          受け部
１５，４５    座板部
１６，４６    台状部
１７，４７    取付板
２５，５５    連結部
３１，４１    くびれ部
【図１】
0003720783.tif 000002
【図２】
0003720783.tif 000003
【図３】
0003720783.tif 000004
【図４】
0003720783.tif 000005
【図５】
0003720783.tif 000006
【図６】
0003720783.tif 000007